【事件の表示】
　特許第２７９１４４６号「プリンタ」の特許に対する特許異議の申立てについて、次のとおり決定する。
【結論】
　訂正を認める。
　特許第２７９１４４６号の特許を維持する。
【理由】
Ｉ．手続の経緯
　特許第２７９１４４６号に係る発明についての出願は、平成３年１月２５日に特許出願され、平成１０年６月１９日にその発明について特許の設定登録がなされ、その後、その特許について、異議申立人、宮城真智子より特許異議の申立がなされ、取消理由通知がなされ、その指定期間内である平成１１年７月２２日に訂正請求がなされ、再度取消理由通知がなされ、その指定期間内である平成１１年９月２０日に、平成１１年７月２２日付訂正請求を取り下げるとともに再度訂正請求がなされたものである。
ＩＩ．訂正の適否についての判断
　上記のように、平成１１年７月２２日付訂正請求については取り下げられたため、平成１１年９月２０日付訂正請求書の訂正についてのみ適否を判断する。
（１）訂正事項
ａ．特許請求の範囲の請求項１に記載の「ピントラクタ」を「ピントラクタユニット」と訂正する。
ｂ．特許請求の範囲の請求項１の記載において、第１の保持手段の位置を「上流側で」と特定していたものを「上流側であって、該印字位置を通る用紙搬送路上に」と訂正する。
ｃ．特許請求の範囲の請求項１の記載において、第２の保持手段の位置を「下流側で前記第１の保持手段と前記印字位置とを結んだ線上に」と特定していたものを「下流側であって、該印字位置を通る用紙搬送路上に」と訂正する。
ｄ．特許請求の範囲の請求項１に「前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、」の構成を追加する訂正をする。
ｅ．【発明の詳細な説明】の【００１４】の記載の記載について、特許請求の範囲の訂正との整合性をはかるため、上記ａ〜ｄの訂正と同様の訂正を行う。
（２）訂正の目的の適否、新規事項の有無及び拡張・変更の存在
　上記訂正事項ａ，ｃ，ｅは、明瞭でない記載の釈明を目的とする訂正であり、また、上記訂正事項ｂ、ｄは特許請求の範囲の減縮を目的とする訂正であり、いずれも、新規事項の追加に該当せず、実質的に特許請求の範囲を拡張又は変更するものではない。
（３）独立特許要件の判断
▲１▼訂正明細書請求項１に係る発明
　訂正明細書請求項１に係る発明（以下、本件発明）は、その特許請求の範囲の請求項１に記載された次のとおりのものである。
「スプロケット孔を有する用紙を印字位置へ給送するピントラクタを配設してなるピントラクタユニットを備えたプリンタにおいて、
　前記ピントラクタを駆動する駆動手段と、
　前記印字位置より上流側であって、該印字位置を通る用紙搬送路上に前記ピントラクタユニットを前記駆動手段と動力連結させて着脱自在に位置決め保持するための第１保持手段と、
　前記印字位置より下流側であって、該印字位置を通る用紙搬送路上に前記ピントラクタユニットを前記駆動手段と動力連結させて着脱自在に位置決め保持するための第２保持手段とを備え、
　前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、
　前記ピントラクタユニットを前記印字位置の上流側と下流側に切り換えて配置可能に構成したことを特徴とするプリンタ。」
▲２▼引用例の記載
　当審が通知した取消理由で引用した刊行物１（特開平２−１２７０６６号公報）には、「本発明は、上述した従来装置の欠点を解決し、ワンタッチで、プル方式からプッシュ方式へ、あるいはプッシュ方式からプル方式へ送行方式を変更できるプリンタの用紙送行装置を提供することを目的とする。」（第２頁左上欄第４〜８行）および「用紙１４の送り方法によって、用紙送行機構１１の取り付け位置を変える。保持部材４に取り付けた場合はプル方式で、保持部材８に取り付けた場合はプッシュ方式である。」（第２頁右下欄第５〜８行）と記載されている。
　また、当審が通知した取消理由で引用した、本件特許出願日の前の出願（特願平２−３０９２４６号；以下、先願）の明細書には、「手前側に形成された給紙口と後方に形成された排出口とこれらの給紙口から前記排出口に至る用紙通路とを有する筐体と、前記用紙通路に配置された印字機構と、ファンフォールド紙を搬送するトラクタと、前記用紙通路における前記印字機構の前記給紙口側と前記排紙口側とのそれぞれに配置されて前記トラクタを着脱自在に保持する保持手段とよりなることを特徴とする用紙送り装置。」（特許請求の範囲第１項）と記載されている。
▲３▼対比・判断
　上記▲２▼における記載から、上記刊行物１および先願には、いずれも、プリンタにおいて印字位置の上流側と下流側にピントラクタユニットを切り換えて配置可能に構成した点は記載されていると認められるものの、本件発明の構成要件である「ピントラクタユニットは、ピントラクタを支持し回転させる回転軸と、回転軸を保持するサイドホルダと、サイドホルダに設けられ駆動手段に動力連結されることにより回転軸に動力を伝達する動力伝達手段とを有」する点は記載されていない。
　本件発明は、上記の構成により、ピントラクタの剛性を確保することができるとともに、回転軸をプリンタ側の動力連結部に直接連結することがなくなり、取り付け取り外しを簡単にすることができるという顕著な効果を有するものであるから、上記刊行物１に記載の発明であるとも、上記刊行物１に記載の発明から容易に想到し得た発明であるともいうことができないし、また、上記先願の明細書に記載された発明であるものともいうことができない。
　また、他に本件発明に係る特許を取り消すべき理由を発見できない。
　したがって、本件発明は特許出願の際独立して特許を受けることができるものである。
（４）むすび
　以上のとおりであるから、上記訂正は、特許法第１２０条の４第２項及び同条第３項で準用する第１２６条第２−４項の規定に適合するので、当該訂正を認める。
ＩＩＩ．特許異議の申立てについての判断
（１）申立の理由の概要
　申立人、宮城真智子は、本件の請求項１に係る発明は、甲第１号証（特開平２−１２７０６６号公報；上記刊行物１と同じ）に記載の発明であり、特許法第２９条第１項第３号の規定に該当し、特許を受けることができないものであるから、特許を取り消すべきと主張している。
　また、甲第２号証（特願平２−３０９２４６号（上記先願）明細書）に記載の発明であり、特許法第２９条の２の規定により、特許を受けることができないものであるから、特許を取り消すべきと主張している。
　さらに、訂正前の特許請求の範囲第１項に記載の「第１の保持手段と印字位置とを結んだ線上」の意味が不明確で、特許を受けようとする発明が明確でないから、特許法第３６条第６項第２号に規定する要件を満たしておらず、特許を取り消すべきと主張している。
（２）判断
　本件請求項１に係る発明は、上記ＩＩ．（３）で示したように、甲第１号証（刊行物１）に記載された発明であるということができない。また、甲第２号証（先願明細書）に記載された発明であるということもできない。
　また、訂正請求により請求項１記載の「下流側で前記第１の保持手段と前記印字位置とを結んだ線上に」が「下流側であって、該印字位置を通る用紙搬送路上に」と訂正され、保持手段の配置位置が明確になった。よって、記載の不明確さに基づく異議申立人の特許取消の主張はその根拠を失った。
（３）むすび
　したがって、特許異議申立の理由及び証拠によっては、本件の請求項１に係る発明の特許を取り消すことはできない。
　また、他に本件発明１，２の特許を取り消すべき理由を発見しない。
　よって、結論のとおり決定する。
【異議決定日】
平成１１年９月３０日（１９９９．９．３０）
【訂正の要旨】
＜訂正の要旨＞
▲１▼訂正事項ａ
　特許第２７９１４４６号明細書の特許請求の範囲の請求項１を、特許請求の範囲の減縮および明瞭でない記載の釈明を目的として、
「スプロケット孔を有する用紙を印字位置へ給送するピントラクタを配設してなるピントラクタユニットを備えたプリンタにおいて、
　前記ピントラクタを駆動する駆動手段と、
　前記印字位置より上流側であって、該印字位置を通る用紙搬送路上に前記ピントラクタユニットを前記駆動手段と動力連結させて着脱自在に位置決め保持するための第１保持手段と、
　前記印字位置より下流側であって、該印字位置を通る用紙搬送路上に前記ピントラクタユニットを前記駆動手段と動力連結させて着脱自在に位置決め保持するための第２保持手段と、
　前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、
　前記ピントラクタユニットを前記印字位置の上流側と下流側に切り換えて配置可能に構成したことを特徴とするプリンタ。」と訂正する。
▲２▼訂正事項ｂ
　特許請求の範囲の請求項１の訂正にともない、特許請求の範囲の記載と発明の詳細な説明の記載との整合性を図るため、明瞭でない記載の釈明を目的として、【発明の詳細な説明】の【００１４】【課題を解決するための手段】の記載を、
「上記目的を達成するために、本発明に係るプリンタは、ピントラクタを駆動する駆動手段と、前記印字位置より上流側であって、該印字位置を通る用紙搬送路上に前記ピントラクタユニットを前記駆動手段と動力連結させて着脱自在に位置決め保持するための第１保持手段と、前記印字位置より下流側であって、該印字位置を通る用紙搬送路上に前記ピントラクタユニットを前記駆動手段と動力連結させて着脱自在に位置決め保持するための第２保持手段とを備え、前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、前記ピントラクタユニットを前記印字位置の上流側と下流側に切り換えて配置可能に構成したものである。」と訂正する。
（５４）【発明の名称】
プリンタ
（５７）【特許請求の範囲】
　【請求項１】　スプロケット孔を有する用紙を印字位置へ給送するピントラクタを配設してなるピントラクタユニットを備えたプリンタにおいて、
　前記ピントラクタを駆動する駆動手段と、
　前記印字位置より上流側で
あって、該印字位置を通る用紙搬送路上に
ユニット
　前記印字位置より下流側で
あって、該印字位置を通る用紙搬送路上
ユニット
　
前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、
　前記ピントラクタ
ユニット
【発明の詳細な説明】
　　【０００１】
　【産業上の利用分野】
　本発明は、スプロケット孔を有するファンフォールド紙を走行させるピントラクタを備えたプリンタに関する。
　　【０００２】
　【従来の技術】
　一般に、この種のプリンタでは、印字位置に対してピントラクタが配設された位置、すなわち上流側か下流側かによってファンフォールド紙（以下、単に「用紙」と言う）を走行させる方式が異なり、大きくはプッシュトラクタ方式とプルトラクタ方式とに区別される。
　　【０００３】
　プッシュトラクタ方式は、ピントラクタがプラテンの後方に配置され、用紙をプラテン後方より押し込むようになっている。この方式では、厚紙やラベル紙、連続紙封筒、複写紙等を走行させるときに、プラテンに対して用紙を大きく巻き付けて使用するので、走行の安定性や改行精度の安定性に欠けると言う問題点を有していた。
　　【０００４】
　これに対して、プルトラクタ方式は、ピントラクタがプラテンの上方（下流側）に取り付けられ、印字後の用紙をプラテンより引き出すようにしている。この方式では、プリンタの底部に設けられた開口部より挿入されて印字ヘッドとプラテンとの間の印字位置を通った用紙をピントラクタに装着させ、この用紙をピントラクタで引くことによってプラテンに大きく巻き付けずに下方（上流側）より引き出すことができるので、厚紙やラベル紙等を使用する場合に適する。
　　【０００５】
　そこで、上記プッシュトラクタ方式の問題点を補うため、従来よりプッシュトラクタ方式での用紙走行機能とプルトラクタ方式での用紙走行機能の２つを備え、これらを切り換えて択一的に使用できる構造にしたプリンタも既に提案されている。
　　【０００６】
　図８はプッシュトラクタ方式とプルトラクタ方式の２つを切り換え使用できる構造にした従来におけるプリンタの一例を示す概略斜視図で、図９はその要部断面図である。
　　【０００７】
　図８および図９において、このプリンタ４１には、印字ヘッド４２と、この印字ヘッド４２と対向して配置されたプラテン４３と、このプラテン４３の後方に第１ピントラクタユニット４４が固定して取り付けられている。また、プラテン４３の上方にはカットナイフ部４６と第２ピントラクタユニット４５が取り付けられており、このうち第２ピントラクタユニット４５はプリンタ４１の図示せぬサイドフレームに設けられた突出部４７に着脱自在に支持され、必要に応じて取り外し可能になっている。
　　【０００８】
　そして、厚紙やラベル紙等以外の通常の用紙Ａ４８を使用するときには、第２ピントラクタユニット４５が外され、用紙Ａ４８はプリンタ４１の後部に設けられた図示せぬ開口部よりプッシュトラクタとしての第１ピントラクタユニット４４に挿入される。また、第１ピントラクタユニット４４を通った後は、印字ヘッド４２とプラテン４３との間の印字位置を通され、この印字位置で印字ヘッド４２により印字された後、さらにプラテン４３の回転に同期して第１ピントラクタユニット４４により上方へ押し出されて走行される。
　　【０００９】
　これに対して、厚紙やラベル紙等、プラテン４３に対して大きく巻き付けずに印字した方が良い用紙Ｂ４８を使用するときは、まず取り出されている第２ピントラクタユニット４５を突出部４７に係合させ、この第２ピントラクタユニット４５をプラテン４３の上方にプルトラクタとして取り付ける。次いで、上記用紙Ｂ４８をプリンタ４１の底面に設けられている開口部４９より印字ヘッド４２とプラテン４３との間に挿入させ、さらに第２ピントラクタユニット４５に用紙Ｂ４８の先端が係合セットされる。この場合では用紙Ｂ４８は印字ヘッド４２とプラテン４３との間の印字位置を通って印字ヘッド４２により印字された後、さらにプラテン４３の回転に同期して第２ピントラクタユニット４５により上方へ引き出されて走行される。
　　【００１０】
　【発明が解決しようとする課題】
　しかしながら、上記構成のプリンタ４１では、第２ピントラクタユニット４５を通過する前には印字後における用紙Ｂ４８を切断することはできず、通過後にカットナイフ部４６とは別の手段を用いて第２ピントラクタユニット４５の上方で切断する必要がある。したがって、印字後から切断位置までの距離が長くなる。このため、伝票類やラベル紙等を使用している場合には、用紙Ｂ４８が１？２枚程無駄になると言う問題点があった。
　　【００１１】
　さらに、第２ピントラクタユニット４５の使用中に、別の種類の上記用紙Ａ４８を使用する場合は、第２ピントラクタユニット４５に装着されている用紙Ｂ４８と、この第２ピントラクタユニット４５を各々取り外し、その後からプリンタ４１の後部より第１ピントラクタユニット４４と印字ヘッド４２およびプラテン４３との間に通して用紙Ａ４８を装着する必要がある。また、再度用紙Ｂ４８を使用する場合は、第２ピントラクタユニット４５を装着し、プリンタ４１の底部における開口部４９より用紙Ｂ４８を装着しなければならない。このため、用紙Ａ４８，Ｂ４８等の媒体の交換作業が煩雑になり、作業性が悪いと言う問題点や、外した第２ピントラクタユニット４５の保管管理が面倒であると言う問題点もあった。
　　【００１２】
　そこで、上記各問題点を解決するため、プラテン４３に対する巻付けを少なくし、かつプリンタ４１の底部近傍にプッシュトラクタとしてのピントラクタを内蔵させてボトムプッシュトラクタ方式としたプリンタも提案されている。しかし、この構造は印字位置の下側にピントラクタユニットが常に配置された状態におかれるので装置全体が大形化する。また、用紙Ｂ４８を押し込む方式であるので、引っ張り出すプルトラクタ方式に比べて走行安定性の面で若干劣ると言う問題点もあった。
　　【００１３】
　本発明は、上記問題点に鑑みてなされたものであり、その目的は用紙の走行方式態様を用紙に応じて簡単に切り換えできるようにしたプリンタを提供することにある。
　　【００１４】
　【課題を解決するための手段】
　上記目的を達成するため、本発明に係るプリンタは、ピントラクタを駆動する駆動手段と、前記印字位置より上流側であって、該印字位置を通る用紙搬送路上に前記ピントラクタユニットを前記駆動手段と動力連結させて着脱自在に位置決め保持するための第１の保持手段と、前記印字位置より下流側であって、該印字位置を通る用紙搬送路上に前記ピントラクタユニットを前記駆動手段と動力連結させて着脱自在に位置決め保持するための第２の保持手段とを備え、前記ピントラクタユニットは、前記ピントラクタを支持し回転させる回転軸と、前記回転軸を保持するサイドホルダと、前記サイドホルダに設けられ前記駆動手段に動力連結されることにより前記回転軸に動力を伝達する動力伝達手段とを有し、前記ピントラクタユニットを前記印字位置の上流側と下流側に切り換え配置可能に構成したものである。
　　【００１５】
　【作用】
　この構成によれば、ピントラクタを第１の保持手段を介して取り付けると、印字位置より下流側で用紙を順次引き出すプルトラクタ方式態様のプリンタに切り換えることができる。また、第１の保持手段に代え、ピントラクタを第２の保持手段を介して取り付けると印字位置より上流側で用紙を印字位置に向かって順次押し出すボトムプッシュトラクタ方式態様のプリンタに切り換えることができる。
　　【００１６】
　したがって、複写伝票やラベル紙などの用紙を使用し、印字後直ちに切断する必要のある場合には、第２の保持手段を用いてピントラクタを印字位置より上流側に取り付け、ボトムプッシュトラクタ方式態様で使用すると、印字後直ちに用紙を切断しても、この後の用紙はピントラクタによってその後も印字位置に押し出されてくるので走行が可能になる。これにより、印字後用紙を直ちに切断することが可能になり、用紙の無駄をなくすことができる。
　　【００１７】
　これに対して、用紙の給送力を大きく必要とし、プルトラクタ方式態様で走行させたい場合は、同じピントラクタを第１の保持手段を用いて印字位置の下流側に取り付けるとプルトラクタ方式態様で使用することができ、より安定した走行を行わせることができる。すなわち、このプリンタでは各方式態様毎にピントラクタユニットを用意しておかなくても、用紙給送態様に応じてピントラクタユニットを付け替えると、使用用紙に適した方式態様に簡単に切り換えることができる。
　　【００１８】
　【実施例】
　以下、本発明の実施例について図面を用いて詳細に説明する。
　図１は本発明の実施例を示す概略斜視図で、図２乃至図４はその要部断面図である。
　　【００１９】
　図１乃至図４において、このプリンタ１には、印字ヘッド２と、この印字ヘッド２と対向してプラテン３が内蔵され、さらにプラテン３の後方に第１ピントラクタユニット４が固定して取り付けられている。また、プラテン３の上方にはプリンタ１のカバーにカットナイフ部５が取り付けられている。加えて、このプリンタ１には、第２ピントラクタユニット６が設けられており、この第２ピントラクタユニット６がプラテン３の上方（下流）位置と下方（上流）位置とに切り換え配置可能になっている。
　　【００２０】
　さらに詳述すると、プリンタ１の図示せぬ両サイドフレームには、プラテン３の軸８を挟んだ上下の位置に、第１の保持手段となる突出部（９ａ，９ｂ）と第２の保持手段となる突出部（１０ａ，１０ｂ）がそれぞれ設けられている。そして、各突出部（９ａ，９ｂ），（１０ａ，１０ｂ）には、第２ピントラクタユニット６がそれぞれ着脱自在に取り付け可能になっている。また、この第２のピントラクタユニット６は、左右一対のピントラクタ３１，３１と、この各ピントラクタ３１，３１を左右方向に移動可能に支持してなる回転可能な一対のガイドバー３２，３３と、このガイドバー３２，３３が回転可能に支持されている左右一対のトラクタサイドホルダー１１などで構成されている。
　　【００２１】
　さらに、各トラクタサイドホルダー１１の一部１１ａには、各突出部（９ａ，９ｂ），（１０ａ，１０ｂ）と係合可能な略Ｕ字形の溝１２ａ，１２ｂが各突出部（９ａ，９ｂ），（１０ａ，１０ｂ）と対応して設けられている。加えて、トラクタサイドホルダー１１上には、第２ピントラクタユニット６のトラクタギヤ１７と噛合されたアイドルギヤ１６と、このアイドルギヤ１６と噛合されたアイドルギヤ１４とが回転可能に取り付けられている。
　　【００２２】
　一方、プラテン３には、その軸８上にプラテンギヤ１９が一体回転可能に取り付けられており、このプラテンギヤ１９が図示せぬモータにより駆動される駆動手段としての第１の駆動ギヤＡ３４に噛合されている。なお、第１のピントラクタユニット４も第２ピントラクタユニット６と略同じに形成されていて、図示せぬトラクタギヤが上記第１の駆動ギヤＡ３４と一体回転する第２の駆動ギヤＢ３４に噛合されている。
　　【００２３】
　図５および図６は、第２ピントラクタユニット６の使用態様の切り換え動作並びに動力伝達系を説明するための図である。
　まず、図５は第２ピントラクタユニット６をプルトラクタ方式の態様で使用する場合を示している。このプルトラクタ方式として使用するとき、第２ピントラクタユニット６はプラテン３の上方（下流側）に取り付けられる。この場合、トラクタサイドホルダー１１の一部１１ａの溝１２ａが突出部９ａに係合されるとともに溝１２ｂが突出部９ｂに係合され各係合箇所が取り外し可能に固定される。すなわち、トラクタサイドホルダー１１が第１の保持手段となる突出部９ａ，９ｂに取り外し可能に取り付けられる。
　　【００２４】
　すると、アイドルギヤ１４は駆動ギヤＡ３４とは噛合されずにアイドルギヤ１６が駆動ギヤＡ３４と噛合される。そして、プラテン３が駆動ギヤＡ３４の駆動力を受けてプラテンギヤ１９および軸８と一体に回転するとき、同時に駆動ギヤＡ３４の回転がアイドルギヤ１６，トラクタギヤ１７を順次介して第２ピントラクタユニット６側のピントラクタ３１に伝達され、ピントラクタ３１が両端側にスプロケット孔を有したファンフォールド紙用紙Ｂ２０を同図中矢印Ｆ方向に走行させる。
　　【００２５】
　次に、図６は、第２ピントラクタユニット６をボトムプッシュトラクタ方式の態様で使用する場合を示している。このプッシュトラクタ方式として使用するとき、第２ピントラクタユニット６はプルトラクタ方式で使用する場合とは逆に、プラテン３の下方（上流側）に取り付けられる。この場合、トラクタサイドホルダー１１の溝１２ａが第２の保持手段としての突出部１０ａに係合されるとともに、溝１２ｂが同じく第２の保持手段としての突出部１０ｂに係合され、各係合箇所が取り外し可能に固定される。
　　【００２６】
　すると、アイドルギヤ１４が駆動ギヤＡ３４と噛合される。そして、プラテン３が駆動ギヤＡ３４の駆動力を受けてプラテンギヤ１９および軸８と一体に回転するとき、この駆動ギヤＡ３４の回転はアイドルギヤ１４，１６，トラクタギヤ１７を順次介して第２ピントラクタユニット６側のピントラクタ３１にも伝達され、ピントラクタ３１が用紙Ｂ２０を同図中矢印Ｆ方向に走行させる。
　　【００２７】
　次ぎに、このように構成されたプリンタ１の全体的における用紙搬送系を、図２乃至図４と共に説明する。
　まず、両端側にスプロケット孔を有したファンフォールド紙で、かつプラテン３に対して大きく巻き付けても支障のない用紙Ａ２０を使用する場合は、第２ピントラクタユニット６はプラテン３の下側に配置されている（図２参照）。そして、用紙Ａ２０は、プリンタ１の後部に設けられた図示せぬ開口部より、第１ピントラクタユニット４に挿入される。また、ピントラクタユニット４を通った後は、さらに印字ヘッド２とプラテン３との間の印字位置を通り、この印字位置で印字ヘッド２により印字された後、プラテン３の回転に同期して第１ピントラクタユニット４のピントラクタ３１により上方に押し出されてプッシュトラクタ方式の態様で走行する。そして、一定量の印字と走行が終了したらカットナイフ部５により切断する。
　　【００２８】
　次ぎに、厚紙やラベル紙等、プラテン３に対して大きく巻き付けずに印字した方が良い用紙Ｂ２０を使用するときは、用紙Ｂ２０はプリンタ１の底面側より挿入される。この場合、複写伝票や、ラベル紙等、印字後直ちに切断する必要のある用紙Ｂ２０を使用するときには、第２ピントラクタユニット６がプラテン３の下側に配設されたままの状態にしておく。そして、開口部２０を通ってプリンタ１の底面側より挿入された用紙Ｂ２０が、第２ピントラクタユニット６を通った後に印字ヘッド２とプラテン３との間を通るようにセットされる（図３参照）。
　　【００２９】
　したがって、この状態でプラテン３が回転されると、プラテン３の回転に同期して第２ピントラクタユニット６のピントラクタ３１が用紙Ｂ２０をプラテン３側へ押し、これによって用紙Ｂ２０の走行がボトムプッシュトラクタ方式の態様で行われる。また、一定量の印字と走行が終了したら、カットナイフ部５によりプラテン３の直ぐ上側で切断することができる。
　　【００３０】
　これに対して、用紙Ｂ２０がボトムプッシュトラクタア方式よりも安定走行が保証されるプルトラクタ方式を用いて走行させたい場合は、第２ピントラクタユニット６をプラテン３の下側より取り外し、プラテン３の上側に配設する（図４参照）。そして、プリンタ１の底面側より挿入された用紙Ｂ２０が印字ヘッド２とプラテン３との間を通った後に、第２ピントラクタユニット６を通るようにしてセットされる。したがって、この状態でプラテン３が回転されると、プラテン３の回転に同期して第２ピントラクタユニット６のピントラクタ３１が印字済みの用紙Ｂ２０を引き出し、これによって用紙Ｂ２０の走行がプルトラクタ方式の態様で行われる。また、一定量の印字と走行が終了したら第２ピントラクタユニット６の上方で図示せぬ手段により切断される。
　　【００３１】
　したがって、この実施例によるプリンタによれば、第２ピントラクタユニット６をプラテン３の上部（下流側）に配設した場合は、略真すぐ底面側より挿入された厚紙や複写紙などの用紙Ｂ２０をプラテン３に巻き付けずにプルトラクタ方式の態様で、印字位置に引き出しながら走行させることができる。これに対して、第２ピントラクタユニット６をプラテン３の下部（上流側）に配設した場合は、プラテン３に巻き付けずに略真すぐ底面側より挿入される複写伝票やラベル等の用紙Ｂ２０を、第２ピントラクタユニット６のピントラクタ３１で印字位置に押し出しながらボトムプッシュトラクタ方式の態様で走行させ、印字後プラテン３の上部で直ちに切断して使用することができる。これにより用紙Ｂ２０の無駄をなくすことができる。
　　【００３２】
　また、第１ピントラクタユニット６を使用し、かつプラテン３に大きく巻き付けてプッシュトラクタ方式の態様で用紙Ａ２０を使用する場合も、第２プッシュトラクタユニット６をプラテン３の下側に配置しておくと第２プッシュトラクタユニット６を取り外さずに使用することができるので、用紙および第２プッシュトラクタユニット６を使用しない場合の保管管理が簡単になる。
　　【００３３】
　なお、本発明は上記実施例により説明したが、この実施例の構造に限ることなく、色々と設計の変更を施しても差し支えないものである。例えば上記実施例では、第１ピントラクタユニット４と第２ピントラクタユニット６との２つを備えた構造を開示したが、１つのピントラクタユニット４（または６）を設けて、この１つのピントラクタユニット４（または６）をプッシュトラクタ方式の態様で使用する位置と、プルトラクタ方式の態様で使用する位置、およびボトムプッシュトラクタ方式の態様で使用する位置にそれぞれ付け替えるようにしても良いものである。
　　【００３４】
　また、第１ピントラクタユニット４と第２ピントラクタユニット６の両方共取り外し可能にし、厚紙や複写紙などの用紙Ｂ２０を使用する場合に、例えば図７に一変形例として示すように第１ピントラクタユニット４と第２ピントラクタユニット６をプラテン３を挟んで上下の位置にそれぞれ配設し、この２つのピントラクタユニット４，５を用いて走行させても良いもので、この形態を取るとさらに安定した走行を行わせることができる。
　　【００３５】
　さらに、上記実施例では円筒状のプラテン３を有したプリンタについて説明したが、フィードローラと平プラテンを用いた構造であっても、同様にして適用できるものである。
　　【００３６】
　【発明の効果】
　以上説明したとおり、本発明に係るプリンタによれば、複写伝票やラベル紙などの用紙を使用し、印字後直ちに切断する必要のある場合には、第２の保持手段を用いてピントラクタを印字位置より上流側に取り付け、ボトムプッシュトラクタ方式態様で使用すると、印字後直ちに用紙を切断しても、この後の用紙はピントラクタによってその後も印字位置に押し出されてくるので走行が可能になる。これにより、印字後用紙を直ちに切断することが可能になり、用紙の無駄をなくすことができる。
　　【００３７】
　これに対して、用紙の給送力を大きく必要とし、プルトラクタ方式態様で走行させたい場合は、同じピントラクタを第１の保持手段を用いて印字位置の下流側に取り付けるとプルトラクタ方式態様で使用することができ、より安定した走行を行わせることができる。すなわち、各方式態様毎にピントラクタを用意しておかなくても、用紙給送態様に応じてピントラクタを付け替えると、使用用紙に適した方式態様に簡単に切り換えることができるので装置の小形化が可能になる。
【図面の簡単な説明】
　　【図１】
　本発明の実施例を示すプリンタの概略斜視図である。
　　【図２】
　図１に示すプリンタの要部断面をプッシュトラクタ方式の態様で示す図である。
　　【図３】
　図１に示すプリンタの要部断面をボトムプッシュトラクタ方式の態様で示す図である。
　　【図４】
　図１に示すプリンタの要部断面をプルトラクタ方式の態様で示す図である。
　　【図５】
　図１乃至図４に示した同上プリンタの要部をプルトラクタ方式態様で使用している状態で示す側面図である。
　　【図６】
　図１乃至図４に示した同上プリンタの要部をボトムプッシュトラクタ方式態様で使用している状態で示す側面図である。
　　【図７】
　本発明の一変形例を説明するための要部断面図である。
　　【図８】
　従来のプリンタの一例を示す概略斜視図である。
　　【図９】
　図８に示す同上プリンタの要部断面図である。
　　【符号の説明】
１　プリンタ
２　印字ヘッド
３　プラテン
４　第１ピントラクタユニット
６　第２ピントラクタユニット
９ａ，９ｂ　突出部（第１の保持手段）
１０ａ，１０ｂ　突出部（第２の保持手段）
１９　プラテンギヤ
Ａ２０，Ｂ２０　用紙（ファンフィールド紙）
３１　ピントラクタ
Ａ３４，Ｂ３４　駆動ギヤ（駆動手段）